(57)【要約】      （修正有）【課題】食材が袋詰めされた内容器を内部に確実に固定しつつ外部への放出も防止した上で販売することができる食材販売用容器を提供する。【解決手段】食材販売用容器は、食材が真空パックされた内容器１と、内容器を収容する外容器とを備える。外容器は、円筒形状であり、収容部３０と蓋部３１とを備え、収容部と蓋部とを螺合することで内容器を密封することが可能である。【選択図】図２
0003235025.tif 000002
【実用新案登録請求の範囲】
【請求項１】
食材が真空パックされた内容器と、
前記内容器を収容する外容器と、を備え、
前記外容器は、円筒形状であることを特徴とする、食材販売用容器。
【請求項２】
前記外容器は、収容部と、蓋部と、を備え、
前記収容部と前記蓋部とを螺合することで、前記内容器を密封することを特徴とする、請求項１に記載の食品販売用容器。
【考案の詳細な説明】
【技術分野】
【０００１】
本考案は、食材の販売に適した食材販売用容器に関する。
【背景技術】
【０００２】
飲料用の自動販売機においては、飲料を封入したアルミ缶やボトルといった複数の容器を貯蔵し、硬貨等の投入に応じて容器を排出するようになっている。従来においては、そのような飲料用の容器を外装部材（円筒部材）の内部に固定した物を販売用容器として自動販売機に貯蔵することが提案されている（例えば、特許文献１参照）。
【先行技術文献】
【特許文献】
【０００３】
【特許文献１】特開２００９−１０２０３２号公報
【考案の概要】
【考案が解決しようとする課題】
【０００４】
しかしながら、例えば、パスタソースやカレールーといった流動状の食材が真空パックされた袋詰め容器に適用した場合、このような袋詰め容器は、一般的に柔軟性を有するため、内部に確実に固定することができず、しかも、衝撃等によって袋詰め容器が破損すると食材が外部に放出されるおそれがあった。
【０００５】
本考案は、上記の点に鑑みてなされたものであり、食材が袋詰めされた内容器を内部に確実に固定しつつ外部への放出も防止した上で販売することができる食材販売用容器を提供することを目的とする。
【課題を解決するための手段】
【０００６】
（１）
食材が真空パックされた内容器と、
前記内容器を収容する外容器と、を備え、
前記外容器は、円筒形状であることを特徴とする、食材販売用容器。
【０００７】
（１）の考案において、食材販売用容器は、食材が真空パックされた内容器と、当該内容器を収容する外容器とを備える。外容器は、円筒形状である。
【０００８】
（１）の考案によれば、食材が真空パックされた内容器を円筒形状の外容器に確実に収容した上で固定することができる。また、外容器を円筒形状としたことで、複数個を１つの箱等に安定して収容することが可能となる。また、例えば、パスタソース等の食材を、円筒形状の容器に収容された飲料水の自動販売機で販売することも可能となる。
【０００９】
（２）
前記外容器は、収容部と、蓋部と、を備え、
前記収容部と前記蓋部とを螺合することで、前記内容器を密封することを特徴とする、（１）に記載の食品販売用容器。
【００１０】
（２）の考案によれば、外容器の収容部に対して蓋部が螺合されるので、収容部に収められた内容器が外部へ放出されるのを確実に防止することができる。
【考案の効果】
【００１１】
本考案によれば、食材が袋詰めされた内容器を内部に確実に固定しつつ外部への放出も防止した上で販売することができる食材販売用容器を提供することができる。
【図面の簡単な説明】
【００１２】
【図１】本考案の一実施形態に係る食材販売用容器を示す外観斜視図である。
【図２】本考案の一実施形態に係る食材販売用容器を示す分解斜視図である。
【考案を実施するための形態】
【００１３】
以下、本考案の実施形態を図面に基づいて説明する。
【００１４】
図１は、本考案の一実施形態に係る食材販売用容器Ａを示す外観斜視図、図２は、食材販売用容器Ａの分解斜視図である。図１及び図２に示すように、本実施形態の食材販売用容器Ａは、袋状の内容器１及び付票２を円筒形状の外容器３に収容したものである。食材販売用容器Ａは、複数まとめて図示しない自動販売機に貯蔵され、利用者が自動販売機に硬貨等を投入するのに応じて機外に排出される。
【００１５】
図２に示すように、内容器１は、ある程度柔軟性のある袋状のものであり、例えばナイロンポリ袋、アルミ蒸着袋により構成される。内容器１は、例えばパスタソースやカレールーといった流動状の食材が真空パックの袋詰めにより密閉されている。
【００１６】
付票２は、内容器１に袋詰めされた食材の商品名や調理法等を記したものであり、その記載面を外方に向けて外容器３の内面に沿わせるように当該外容器３の内部に収められる。
【００１７】
外容器３は、透明あるいは半透明の円筒形状であり、例えばＰＥ（polyethylene）、ＰＥＴ（polyethylene terephthalate）、ＰＳ（polystyrene）、ＰＰ（polypropylene）、ＰＶＣ（polyvinyl chloride）、アクリル樹脂といったプラスチック製で構成される。外容器３は、内容器１を収容する収容部３０と、収容部３０を密封する蓋部３１とを有する。
【００１８】
収容部３０は、上端部に内容器１を出し入れ可能な開口を有し、内容器１が折り曲げた状態で内周壁に密接しつつ内部に収容される（図１参照）。上端部における開口周辺の外周面には、蓋部３１を固定するためのネジ山３０ａが形成されている。
【００１９】
蓋部３１は、収容部３０の開口を塞ぐように収容部３０の上端部に設けられる。蓋部３１の内周面には、収容部３０のネジ山３０ａに対応するネジ溝３１ａが形成されている。これにより、蓋部３１は、ネジ締めにより収容部３０の上端部に固定され、自動販売機の利用者によって収容部３０から取り外されることで内部の内容器１が取り出される。
【００２０】
このような食材販売用容器Ａによれば、収容部３０の内周壁に密接した状態で内容器１が収容されるので、食材が真空パックされた内容器１を円筒形状の外容器３に確実に収容した上で固定することができる。
【００２１】
また、外容器３の収容部３０に対して蓋部３１がネジ締めにより螺合されるので、収容部３０に収められた内容器１の外部への放出を確実に防止することができる。
【００２２】
また、円筒形状の外容器３に内容器１を収容しておくことにより、内容器１だけで流通させる場合に比べて自動販売機や、店舗等に陳列して販売する場合の取り扱いを容易にすることができる。
【００２３】
また、外容器３を円筒形状とすることにより、例えば、飲料水を販売する自動販売機や、このような自動販売機を改良したものであっても取り扱いを容易として適用することができる。
【００２４】
また、食材がパスタソース等といった流動状の液体であり、仮に、内容器１から漏れ出たとしても、外容器３から外部に漏出するのを防止することができるので、自動販売機の庫内や他の商品まで汚してしまうことを防止することができる。
【００２５】
なお、本考案は、上記の実施形態に限定されるものではない。
【００２６】
上記実施形態において、内容器１は、一例として流動状の食材を袋詰めしたものであるが、例えばカットされたフルーツ等の固形の食材を袋詰めした内容器でもよい。
【符号の説明】
【００２７】
Ａ    食材販売用容器
１    内容器
３    外容器
３０  収容部
３１  蓋部
【図１】
0003235025.tif 000003
【図２】
0003235025.tif 000004